(57)【要約】      （修正有）【課題】おむつを装着したままであっても，着用者個々人の体型に合わせて，吸収性本体の位置を簡単に調節することのできる技術を提供する。【解決手段】外装体１０と吸収性本体２０を備える。吸収性本体２０は，液体を吸収し保持する吸収体２１と，吸収体を表面側から被覆するトップシートと，吸収体を裏面側から被覆するバックシートと，前身頃１側において吸収体よりも長手方向外方に延在する前側端部３０と，前側端部の裏面側に設けられた前側止着部３１と，後身頃２側において吸収体よりも長手方向外方に延在する後側端部４０と，後側端部４０の裏面側に設けられた後側止着部４１を含む。そして，前側端部及び後側端部の両方又はいずれか一方は，胴周り開口部４を形成する外装体の端縁よりも長手方向に延出する延出領域３２を有する。【選択図】図１
2014014412.tif 000002
【特許請求の範囲】
【請求項１】
前身頃（１）と後身頃（２）の間に股下部（３）が介在し，胴周り開口部（４）と，左右一対の脚周り開口部（５）と，を形成するパンツ型の外装体（１０）と，
前記外装体（１０）に対し，前記前身頃（１）から前記後身頃（２）にかかる長手方向に延び，前記股下部（３）を含む位置に配置される吸収性本体（２０）と，を備える
パンツ型使い捨ておむつであって，
前記吸収性本体（２０）は，
液体を吸収し保持する吸収体（２１）と，
前記吸収体（２１）を表面側から被覆するトップシート（２２）と，
前記吸収体（２１）を裏面側から被覆するバックシート（２３）と，
前記前身頃（１）側において，前記吸収体（２１）よりも長手方向外方に延在する前側端部（３０）と，
前記前側端部（３０）の裏面側に設けられ，前記外装体（１０）に止め着け可能な前側止着部（３１）と，
前記後身頃（２）側において，前記吸収体（２１）よりも長手方向外方に延在する後側端部（４０）と，
前記後側端部（４０）の裏面側に設けられ，前記外装体（１０）に止め着け可能な後側止着部（４１）と，を含み，
前記前側端部（３０）及び前記後側端部（４０）の両方又はいずれか一方は，
前記吸収体（２１）を前記外装体（１０）の中心に合わせて配置した状態において，前記胴周り開口部（４）を形成する前記外装体（１０）の端縁から延出する延出領域（３２，４２）を有する
パンツ型使い捨ておむつ。
【請求項２】
前記外装体（１０）は，前記胴周り開口部（４）の近傍に，短手方向に沿って伸長状態で固定された一又は複数のウエスト伸縮部材（１１）を有し，
前記胴周り開口部（４）を形成する端縁から，前記ウエスト伸縮部材（１１）のうち最も前記股下部（３）寄りの位置に設けられたものまでの距離をＷとした場合に，
前記延出領域（３２，４２）が前記外装体（１０）の端縁から延出した長さＥは，前記距離Ｗよりも長い
請求項１に記載の使い捨ておむつ。
【請求項３】
前記外装体（１０）は，一又は複数のウエスト伸縮部材（１１）よりも前記股下部（３）寄りの位置に，短手方向に沿って伸長状態で固定された一又は複数のタミー伸縮部材（１２）を有し，
前記一又は複数のタミー伸縮部材（１２）は，前記外装体（１０）の短手方向の中央において不連続となった不連続領域（１２ａ）を有し，
前記不連続領域（１２ａ）の前記外装体（１０）の短手方向における長さＤは，前記前側止着部（３１）及び後側止着部（４１）の前記吸収性本体（２０）の短手方向における長さＢよりも長い
請求項２に記載の使い捨ておむつ。
【請求項４】
前記前側端部（３０）は，前記延出領域（３２）を有し，
前記前側端部（３０）の前記延出領域（３２）の裏面側に設けられた前側止着部（３１）は，前記外装体（１０）の肌非当接面側に止め着けられるものであり，
前記後側端部（４０）の先端部分の裏面側に設けられた後側止着部（４１）は，前記外装体（１０）の肌当接面側に止め着けられるものである
請求項１から請求項３のいずれかに記載の使い捨ておむつ。
【請求項５】
前記前側端部（３０）及び前記後側端部（４０）の両方又はいずれか一方は，
前記延出領域（３２，４２）と，
長手方向において，前記吸収体（２１）と前記延出領域（３２，４２）の間に位置する調節代領域（３３，４３）を有し，
前記延出領域（３２，４２）は，前記調節代領域（３３，４３）よりも幅広に形成されている
請求項１から請求項３のいずれかに記載の使い捨ておむつ。
【請求項６】
前記外装体（１０）の前記前身頃（１）側及び前記後身頃側（２）の両方又はいずれか一方の肌非当接面側には，
前記延出領域（３２，４２）に設けられた前記前側止着部（３１）及び前記後側止着部（４１）の両方又はいずれか一方に係合するターゲット部材（７）が備えられている
請求項１から請求項３のいずれかに記載の使い捨ておむつ。
【請求項７】
前記外装体（１０）は，一又は複数のウエスト伸縮部材（１１）よりも前記股下部（３）寄りの位置に，短手方向に沿って伸長状態で固定された一又は複数のタミー伸縮部材（１２）を有し，
前記胴周り開口部（４）を形成する端縁から，前記タミー伸縮部材（１２）のうち最も前記股下部（３）寄りの位置に設けられたものまでの距離をＴとした場合に，
前記延出領域（３２，４２）が前記外装体（１０）の端縁から延出した長さＥは，前記距離Ｔよりも長い
請求項２に記載の使い捨ておむつ。
【請求項８】
前記吸収性本体（２０）は，前記外装体（１０）に対し複数個重ねて配置されており，
前記複数個の吸収性本体（２０）のうち，少なくとも１つの前記吸収性本体（２０）は，前記外装体１０から着脱可能である
請求項１に記載の使い捨ておむつ。
【発明の詳細な説明】
【技術分野】
【０００１】
本発明は，着用者の股下に装着され，尿などの液体を吸収し保持するための使い捨ておむつに関する。具体的に説明すると，本発明は，パンツ型の外装体と，尿などを吸収保持する吸収性本体が別途形成され，外装体に対する吸収体の取り付け位置を自由に調節可能なパンツ型の使い捨ておむつに関するものである。
【背景技術】
【０００２】
従来から，例えば乳幼児や高齢者によって装着される使い捨てのおむつとして，パンツ型のものが知られている。パンツ型の使い捨ておむつは，前身頃と後身頃の両端部が予め接合されており，着用者は，胴周りの開口部から両脚部を挿入し，両脚部周りの開口部からそれぞれの脚部を出すことで装着することができる。
【０００３】
また，例えば特許文献１に記載されているように，使い捨ておむつの一形態として，パンツ型の外装体と，外装体の内側に着脱可能に取り付けられ股下域を中心に前後側域の長手方向に延びる体液吸収性パッドとからなるものが知られている。特許文献１に開示された使い捨ておむつでは，パンツ型の外装体が，前後各側域における周方向中央部の内側に，胴周り縁部から股下域に向かって垂下する柔軟な吊持片を有している。また，体液吸収性パッドは，上下面シートとそれらシート間に介在する吸収性パネルとで構成されており，この吸収性パネルの前後両端部は，外装体の吊持片に止着されるようになっている。このようにして，特許文献１の使い捨ておむつは，パンツ型の外装体に内側に，吊持片を介して体液吸収性パッドを着脱自在に取り付けることができる。
【０００４】
上記特許文献１に記載の使い捨ておむつのように，体液吸収性パッドが着脱自在であることにより，例えば，排尿後には体液吸収性パッドのみを取り替えて，パンツ型の外装体を引続き使用し続けることができるため，経済的であるという利点がある。また，特許文献１のおむつは，外装体に取り付ける体液吸収性パッドの位置を調節することができるため，着用者個々人の体型に合わせて体液吸収パッドのフィット性を高めることができるという利点もある。
【先行技術文献】
【特許文献】
【０００５】
【特許文献１】特開平９−７５３９０号公報
【発明の概要】
【発明が解決しようとする課題】
【０００６】
しかしながら，上記特許文献１に記載のおむつは，パンツ型の外装体の内側に，吸収性本体を取り付けて使用するものである。このため，着用者個々人の体型に合わせて吸収性本体の取り付け位置を調節しようとした場合，吸収性本体の取り付け位置を決定した後に，装着する必要があった。従って，着用者は，おむつの装着後に吸収性本体の取り付け位置に違和感を持った場合，おむつを脱いで体液吸収パッドの位置を再調整し，おむつを履きなおす必要がある。
【０００７】
また，従来の使い捨ておむつは，装着時に吸収性本体の位置を排尿口に合わせることができたとしても，着用者が体を動かした場合に，身体と吸収性本体の間に，隙間が生じることがある。このような場合，従来のおむつの構造では，吸収性本体を排尿口に再度押し当てるために，外装体と身体との間に手を入れて吸収性本体を引き上げたり，外装体を履きなおす必要がある。
【０００８】
このように，従来のおむつは，おむつを装着したまま吸収性本体の位置を調節しなおすことができないものであり，体液吸収性パッドの位置調節作業が非常に面倒なものとなっていた。このため現在では，装着したままであっても，着用者個々人の体型に合わせて，吸収性本体の位置を簡単に調節することのできるパンツ型の使い捨ておむつが求められている。
【課題を解決するための手段】
【０００９】
そこで本発明の発明者は，上記の従来発明の問題点を解決する手段について鋭意検討した結果，パンツ型の外装体の内側に取り付けられる吸収性本体の一端又は両端を，外装体の胴周り開口部から十分に延出する長さとし，吸収性本体の延出部分を把持して吸収性本体の位置を調節できるようにすることで，おむつを装着したままであっても，着用者個々人の体型に合わせて，吸収性本体の取り付け位置を簡単に調節することができるという知見を得た。そして，本発明者は，上記知見に基づけば，従来技術の課題を解決できることに想到し，本発明を完成させた。
具体的に説明すると，本発明は以下の構成を有する。
【００１０】
本発明は，パンツ型使い捨ておむつに関する。
本発明の使い捨ておむつは，基本的に，外装体１０と吸収性本体２０とを備える。
外装体１０は，前身頃１と後身頃２の間に股下部３が介在し，胴周り開口部４と左右一対の脚周り開口部５とを形成するパンツ型の部材である。
吸収性本体２０は，上記外装体１０に対し，前身頃１から後身頃２にかかる長手方向に延び，股下部３を含む位置に配置される部材である。
この吸収性本体２０は，
液体を吸収し保持する吸収体２１と，
吸収体２１を表面側から被覆するトップシート２２と，
吸収体２１を裏面側から被覆するバックシート２３と，
前身頃１側において，吸収体２１よりも長手方向外方に延在する前側端部３０と，
前側端部３０の裏面側に設けられ，外装体１０に止め着け可能な前側止着部３１と，
後身頃２側において，吸収体２１よりも長手方向外方に延出する後側端部４０と，
後側端部４０の裏面側に設けられ，外装体１０に止め着け可能な後側止着部４１と，を含む。
なお，ここにいう「止め着け可能」とは，取り外しができるように止め着けられている場合と，取り外しできができないように止め着けられている場合の両方を意味する。
そして，吸収性本体２０において，前側端部３０及び後側端部４０の両方又はいずれか一方は，吸収体２１を外装体１０の中心に合わせて配置した状態において，胴周り開口部４を形成する外装体１０の端縁から延出する延出領域３２，４２を有している。
【００１１】
上記構成のように，本発明のおむつは，吸収性本体２０を外装体１０の内側に配置した場合に，吸収性本体２０の両端又は一端が，外装体１０の胴周り開口部４から延出するようになっている。このように，吸収性本体２０の一部が胴周り開口部４から延出していることにより，おむつを着用している者又はおむつを着用させる者（着用者等）は，吸収性本体２０の延出している部分を把持して，着用者の排尿口と吸収性本体２０の間に隙間がなくなるように，吸収性本体２０の位置を調節することができる。従って，本発明のおむつは，装着したままであっても，着用者個々人の体型に合わせて，吸収性本体２０の位置を簡単に調節することができる。
また，吸収性本体２０の延出した部分（延出領域３２，４２）の裏面側には，止着部３１，４１が設けられているため，この延出した部分を折り返して，外装体１０の外側に止め着けておくことができる。このため，おむつの着用者が運動した場合でも，吸収性本体２０の位置がずれてしまうといった事態を抑制できるとともに，吸収性本体２０の延出した部分が邪魔になることもない。
【００１２】
本発明のおむつにおいて，外装体１０は，胴周り開口部４の近傍に，短手方向に沿って伸長状態で固定された一又は複数のウエスト伸縮部材１１を有していることが好ましい。
また，胴周り開口部４を形成する端縁から，ウエスト伸縮部材１１のうち最も股下部３寄りの位置に設けられたものまでの距離をＷとした場合に，吸収性本体２０の延出領域３２，４２が外装体１０の端縁から延出した長さＥは，この距離Ｗよりも長いものであることが好ましい。
【００１３】
まず，上記構成のように，外装体１０の胴周り開口部４に沿って一又は複数のウエスト伸縮部材１１を設けることで，ウエスト伸縮部材１１の収縮力によって，外装体１０の内側に配置された吸収性本体２０の位置が固定される。このため，吸収性本体２０と着用者の身体の密着性が高まり，装着者が動いた場合であっても吸収性本体２０の取り付け位置がずれにくくなる。
また，上記構成のように，吸収性本体２０の延出領域３２，４２が，外装体１０の胴周り開口部４近傍に設けられたウエスト伸縮部材１１を跨いで超えることが出来る程度の十分な長さを有することで，この延出領域３２，４２を把持し易くなる。
さらに，吸収性本体２０の延出領域３２，４２がウエスト伸縮部材１１を超える位置まで延出していることにより，吸収性本体２０の延出領域３２，４２を，ウエスト伸縮部材１１の伸縮の影響を受けずに，外装体１０の外側にしっかりと止め着けることができる。すなわち，吸収性本体２０の延出領域３２，４２の延出長さが短いと，ウエスト伸縮部材１１と重なるように，この延出領域３２，４２を外装体１０に止め着ける必要があり，この延出領域３２，４２がウエスト伸縮部材１１の伸縮によって外装体１０から剥がれるという問題が生じる。この点，吸収性本体２０の延出領域３２，４２がウエスト伸縮部材１１を超える位置まで延出していることで，このような問題を解消できる。
【００１４】
本発明のおむつにおいて，外装体１０は，一又は複数のウエスト伸縮部材１１よりも股下部３寄りの位置に，短手方向に沿って伸長状態で固定された一又は複数のタミー伸縮部材１２を，さらに有することが好ましい。
また，このタミー伸縮部材１２は，外装体１０の短手方向の中央において不連続となった不連続領域１２ａを有する。
この場合において，不連続領域１２ａの外装体１０の短手方向における長さＤは，前側止着部３１及び後側止着部４１の吸収性本体２０の短手方向における長さＢよりも長いことが好ましい。
【００１５】
上記構成のように，外装体１０の腹周り部分に一又は複数のタミー伸縮部材１２を設けることで，外装体１０の内側に配置された吸収性本体２０と，着用者の身体の密着性をさらに向上させることができる。
また，本発明の好ましい形態において，タミー伸縮部材１２が不連続領域１２ａを有し，この不連続領域１２ａの短手方向における長さＤは，止着部３１，４１の短手方向における長さＢよりも長く形成されている。このため，吸収性本体２０の延出領域３２，４２に設けられた止着部３１，４１を，タミー伸縮部材１２が不連続領域１２ａに止め着けることができるようになる。これにより，吸収性本体２０の延出領域３２，４２を，タミー伸縮部材１２の伸縮の影響を受けずに，外装体１０の外側にしっかりと止め着けることができる。
【００１６】
本発明のおむつにおいて，前側端部３０の延出領域３２の裏面側に設けられた前側止着部３１は，外装体１０の肌非当接面側に止め着けられるものであり，後側端部４０の先端部分の裏面側に設けられた後側止着部４１は，外装体１０の肌当接面側に止め着けられるようにしてもよい。
【００１７】
上記構成では，要するに，吸収性本体２０の前身頃側の端部が，外装体１０の胴周り開口部４から延出して外装体１０の肌非当接面側に止め着けられ，吸収性本体２０の後身頃側の端部は，外装体１０の胴周り開口部４から延出せずに外装体１０の肌当接面側に止め着けられる。このとき，吸収性本体２０の前側止着部３１は着脱自在の接着性を有し，後側止着部４１は剥離不能の接着性を有することとしてもよい。このように，吸収性本体２０の前身頃側の端部のみを外装体１０の胴周り開口部４から延出させることで，おむつを装着させる者は，着用者の腹部側から延出部分を把持して，吸収性本体２０の位置を調節する作業を容易に行うことができる。
【００１８】
本発明のおむつにおいて，前側端部３０及び後側端部４０の両方又はいずれか一方は，延出領域３２，４２と，長手方向において吸収体２１と延出領域３２，４２の間に位置する調節代領域３３，４３とを有し，この延出領域３２，４２は，調節代領域３３，４３よりも幅広に形成されていることとしてもよい。
【００１９】
上記構成のように，吸収性本体２０の延出領域３２，４２が幅広となっていることにより，この延出領域３２，４２を把持しやすくなる。これにより，吸収性本体２０の位置調節がさらに容易になる。また，延出領域３２，４２を，調節代領域３３，４３と比較して幅広とすることで，延出領域３２，４２と調節代領域３３，４３の境界において，延出領域３２，４２が折れ曲がり易くなる。このため，吸収性本体２０の延出部分の扱いが容易になる。
【００２０】
本発明のおむつにおいて，外装体１０の前身頃１側及び後身頃側２の両方又はいずれか一方の肌非当接面側には，延出領域３２，４２に設けられた前側止着部３１及び後側止着部４１の両方又はいずれか一方に係合するターゲット部材７が備えられていることとしてもよい。
【００２１】
上記構成のように，外装体１０の肌非当接面側に，前側止着部３１や後側止着部４１に係合する専用の部材（ターゲット部材７）を設けることで，前側止着部３１や後側止着部４１が，外装体１０の外面から剥離しにくくなる。
【００２２】
本発明は，外装体１０が上記した一又は複数のタミー伸縮部材１２を有する形態において，胴周り開口部４を形成する端縁からタミー伸縮部材１２のうち最も股下部３寄りの位置に設けられたものまでの距離をＴとした場合に，延出領域３２，４２が外装体１０の端縁から延出した長さＥは，この距離Ｔよりも長いこととしてもよい。
【００２３】
上記構成のように，吸収性本体２０の延出領域３２，４２が，外装体１０に設けられたウエスト伸縮部材１１及びタミー伸縮部材１２を跨いで超えることが出来る程度の十分な長さを有することで，この延出領域３２，４２を，外装体１０の肌非当接面側に止め着け易くなる。
さらに，吸収性本体２０の延出領域３２，４２を長く延出させることで，例えば上述したようにタミー伸縮部材１２を幅方向中央において不連続とする必要もなくなる。このため，外装体１０と着用者の身体の密着性が高まることとなり，さらにその結果，外装体１０と着用者の身体の間に位置する吸収性本体２０の位置ズレを効果的に防止できる。
【００２４】
本発明のおむつにおいて，吸収性本体２０は，外装体１０に対し複数個重ねて配置されていてもよい。この場合，複数個の吸収性本体２０のうち，少なくとも１つの吸収性本体２０は，外装体１０から着脱可能であることが好ましい。
【００２５】
上記構成のように，外装体１０に対し複数個の吸収性本体２０を重ねて配置しておくことにより，排尿後には，最も着用者の身体の近くに位置する吸収性本体２０を取り外すだけで，排尿を簡単に処理することができる。
【発明の効果】
【００２６】
本発明のおむつは，吸収性本体２０を外装体１０の内側に配置した場合に，吸収性本体２０の両端又は一端が，外装体１０の胴周り開口部４から延出するようになっている。このように，吸収性本体２０の一部が胴周り開口部４から延出していることにより，おむつを着用している者又はおむつを着用させる者は，吸収性本体２０の延出している部分を把持して，着用者の排尿口と吸収性本体２０の間に隙間がなくなるように，吸収性本体２０の位置を調節することができる。従って，本発明のおむつは，装着したままであっても，着用者個々人の体型に合わせて，吸収性本体の位置を簡単に調節することができる。
【００２７】
本発明のおむつは，吸収性本体２０の延出した部分（延出領域３２，４２）の裏面側には，止着部３１，４１が設けられているため，この延出した部分を折り返して，外装体１０の外側に止め着けておくことができる。従って，おむつの着用者が運動した場合でも，吸収性本体２０の位置がずれてしまうことを抑制できるとともに，吸収性本体２０の延出した部分が邪魔になることもない。
【図面の簡単な説明】
【００２８】
【図１】図１は，第１の実施形態に係る使い捨ておむつを，前身頃側から見た状態を示す斜視図である。
【図２】図２は，第１の実施形態に係る使い捨ておむつの展開図であり，外装体と吸収性本体を並べて描画している。
【図３】図３は，図２に示されたＹ−Ｙ線で，吸収性物品を切断した状態を示す断面図である。
【図４】図４は，図２に示されたＸ−Ｘ線で，吸収性物品を切断した状態を示す断面図である。
【図５】図５は，第１の実施形態に係る使い捨ておむつの側方の断面図であり，使い捨ておむつの使用状態を模式的に示している。
【図６】図６は，第２の実施形態に係る使い捨ておむつの展開図であり，外装体と吸収性本体を並べて描画している。
【図７】図７は，第３の実施形態に係る使い捨ておむつを，前身頃側から見た状態を示す斜視図である。
【図８】図８は，第４の実施形態に係る使い捨ておむつを，前身頃側から見た状態を示す斜視図である。
【図９】図９は，第４の実施形態に係る使い捨ておむつの展開図であり，外装体と吸収性本体を並べて描画している。
【図１０】図１０は，第５の実施形態に係る使い捨ておむつの展開図であり，外装体と吸収性本体を並べて描画している。
【図１１】図１１は，第６の実施形態に係る使い捨ておむつを示す側方の断面図である。
【発明を実施するための形態】
【００２９】
以下，図面を用いて本発明を実施するための形態について説明する。本発明は，以下に説明する形態に限定されるものではなく，以下の形態から当業者が自明な範囲で適宜修正したものも含む。
なお，本願明細書において，「長手方向」とは，前身頃側と後身頃側を結ぶ方向（例えば図２の上下方向）を意味し，「短手方向」とは，長手方向に直交する方向（例えば図２の左右方向）を意味する。
また，本願明細書において，「Ａ〜Ｂ」とは，「Ａ以上Ｂ以下」であることを意味する。
【００３０】
（１．第１の実施形態）
【００３１】
まず，本発明の第１の実施形態に係るパンツ型使い捨ておむつ１００の概要を説明する。
図１は，本発明の第１の形態に係るパンツ型使い捨ておむつ１００の外観を示す斜視図である。図１に示されるように，使い捨ておむつ１００は，パンツ型に形成される外装体１０と，外装体１０の肌当接面側（内側）に配置される吸収性本体２０を備えている。
【００３２】
外装体１０は，装着時において，着用者の腹部に接する前身頃１と，着用者の背部に接する後身頃２と，着用者の股下に接する股下部３に区分される。本実施形態において，外装体１０は，前身頃１から後身頃２にかけて一体に繋がって形成されている。外装体１０の前身頃１及び後身頃２それぞれの幅方向両端には，一対のサイドシール部６が設けられている。前身頃１側のサイドシール部６と，後身頃２側のサイドシール部６をそれぞれ対応させて接合することにより，外装体１０は図１に示されるようなパンツ型に形成される。外装体１０は，各サイドシール部６を接合することで，前身頃１の長手方向の端縁１ａと後身頃２の長手方向の端縁２ａによって，胴周り開口部４が形成される。また，外装体１０には，股下部３の幅方向両側において，着用者の両脚部に沿う形に設けられた左右一対の脚周り開口部５が形成されている。
【００３３】
パンツ型に形成された外装体１０の内側には，外装体１０の前身頃１から股下部３を通り後身頃２にかけて，長手方向に長く延びる吸収性本体２０が配置される。吸収性本体２０は，尿などの液体を吸収して保持する吸収体２１を含む。吸収性本体２０は，外装体１０によって着用者の股下を中心として保持され，外装体１０と着用者の身体との間に介在する。吸収性本体２０は，その両端部のみが外装体１０に止着され，長手方向の中央部分においては非接着状態となっていることが好ましい。そして，本発明において，吸収性本体２０は，前身頃１側の端部又は後身頃側２の端部の少なくとも一方が，外装体１０の胴周り開口部４から延出している。本実施形態において，吸収性本体２０は，前身頃１の端部（前側端部３０の前側延出領域３２）が外装体１０の胴周り開口部４から延出し，後身頃側の端部（後側端部４０）は外装体１０の胴周り開口部４から延出しない構成となっている。すなわち，吸収性本体２０は，前身頃１側の端部の裏面に設けられた前側止着部３１が，外装体１０の肌非当接面側に着脱自在に止め着けられており，後身頃２側の部分の裏面に設けられた後側止着部４１が，外装体１０の肌当接面側に止め着けられている。
【００３４】
着用者は，パンツ型に形成された外装体１０の内側に吸収性本体２０を配置し，両者を重ねた状態で，その腹部が前身頃１に接触し，背部が後身頃２に接触するように胴周り開口部４から両脚部を挿入し，左右の脚周り開口部５から各脚部を出すことにより，使い捨ておむつ１００を装着できる。おむつの装着後，着用者は，外装体１０の前身頃１側において胴周り開口部４から延出している吸収性本体２０の端部（前側端部３０の前側延出領域３２）を把持し，その延出部分を引き上げる操作を行うことで，身体の形状に合わせて，例えば排尿口に吸収性本体２０を密着させることができる。
【００３５】
図２は，図１に示された第１の実施形態に係る使い捨ておむつ１００を展開し，外装体１０と吸収性本体２０を並置した状態を示している。図２は，外装体１０の中心位置と，吸収性本体２０に含まれる吸収体２１の中心が，図の左右方向において揃うように並べて描画している。すなわち，図２に示された左右方向に延びる直線Ｌ１は，外装体１０の長手方向における中心位置と，吸収体２１の長手方向における中心位置の両方を通る直線である。以下，第１の実施形態に係る使い捨ておむつ１００の各部の構成について説明する。
【００３６】
（１−１．外装体）
外装体１０は，使い捨ておむつ１００の着用時において，吸収性本体２０を着用者の身体に宛てがったまま保持するための部材である。外装体１０の前身頃１と後身頃２の左右両側縁部には，一対のサイドシール部６が位置する。前身頃１と後身頃２は，おむつの幅方向の左右両側縁部を互いに重ね合わせた状態で，一対のサイドシール部６において接合されてパンツ型をなす。サイドシール部６は，おむつの長さ方向に延びて直線的に形成され，前身頃１と後身頃２は，サイドシール部６において，例えば熱エンボス溶着や超音波エンボス溶着のような公知の接合手段により接合される。
【００３７】
外装体１０は，複数枚のシート状部材を適所において重ね合わせて公知の方法により構成することができる。例えば，外装体１０は，インナーシート１４とアウターシート１５を重ね合わせて貼合することにより構成できる。インナーシート１４は，着用者の肌に接する面側（肌当接面側）に配置され，アウターシート１５は，着用者の肌に接しない面側（肌非当接面側）に配置される。インナーシート１４とアウターシート１５は，別途形成されたシート部材であってもよいし，一枚のシート部材を使い捨ておむつの胴周り開口部４の端縁１ａ，２ａに相当する位置で折り返すことにより一体的に形成されたものであってもよい。また，インナーシート１４とアウターシート１５の間には，他のシート部材が介在するものであってもよい。インナーシート１４とアウターシート１５は，例えば，柔軟な繊維不織布，プラスチックシート，又はそれらのラミネートシートによって形成することができる。インナーシート１４とアウターシート１５は，例えば公知のホットメルト接着剤によって接着される。さらに，インナーシート１４とアウターシート１５の間には，各種の弾性伸縮部材を，おむつの幅方向に沿って伸長状態で固定することができる。
【００３８】
外装体１０において，インナーシート１４とアウターシート１５の間に配置された弾性伸縮部材１１，１２，１３は，胴周りや腹周りにギャザーを形成するための部材である。ギャザーとは，インナーシート１４とアウターシート１５の間に伸長状態で挟持された複数本の弾性伸縮部材１１，１２，１３が収縮することにより，シート部材に襞が生じて形成されるものである。ギャザーを形成することで，外装体１０の柔軟性や密着性を高めることができる。
【００３９】
図２の展開図に示されるように，外装体１０は，胴周り開口部４を形成する前身頃１の端縁１ａと後身頃２の端縁２ａの近傍に，幅方向に延びる複数のウエスト伸縮部材１１が伸長状態で固定されている。「端縁の近傍」とは，例えば端縁から１ｍｍ〜５０ｍｍ程度の領域を意味する。ウエスト伸縮部材１１は，インナーシート１４とアウターシート１５の間に介在しており，収縮することによりこれらのシート部材に襞を生じさせ，着用者の胴周りに相当する部分に，ウエストギャザーを形成する。外装体１０に取り付けられるウエスト伸縮材１１の数は，１本であってもよいが２本以上であることが好ましい。複数本のウエスト伸縮部材１１は，おむつの長手方向に所定の間隔をおいて，実質的に平行に配置されている。ウエスト伸縮部材１１は，例えば２本〜１５本，４本〜１２本，又は６本〜９本とすることが好ましい。
【００４０】
また，図２に示されるように，前身頃１及び後身頃２において，ウエスト伸縮部材１１よりも股下部３よりの位置には，幅方向に延びる複数のタミー伸縮部材１２が伸長状態で固定されている。タミー伸縮部材１２は，インナーシート１４とアウターシート１５の間に介在しており，収縮することによりこれらのシート部材に襞を生じさせ，着用者の腹周りに相当する部分に，タミーギャザーを形成する。外装体１０に取り付けられるタミー伸縮部材１２の数は，１本であってもよいが２本以上であることが好ましい。複数本のタミー伸縮部材１２は，おむつの長手方向に所定の間隔をおいて，実質的に平行に配置されている。
【００４１】
また，図２に示されるように，複数のタミー伸縮部材１２は，外装体１０の幅方向中央部分において不連続となる領域（不連続領域１２ａ）を持つことが好ましい。例えば，複数のタミー伸縮部材１２は，おむつの製造過程においては，外装体１０の幅方向の略全体にわたって延伸して配置されており，おむつの製造途中において，外装体１０の幅方向中央部分において切断されることにより，不連続とされていることが好ましい。このように，本実施形態において，複数のタミー伸縮部材１２は，不連続領域１２ａにおいて間欠的に切断され，不連続領域１２ａの幅方向左右両側にのみ配置されている。
【００４２】
上記複数のウエスト伸縮部材１１と複数のタミー伸縮部材１２は，その太さを異ならせることにより区別されるものであってもよい。例えば，ウエスト伸縮部材１１には，タミー伸縮部材１２よりも太い糸状弾性ゴムを採用できる。例えば，ウエスト伸縮部材１１の太さは３００デニール〜１５００デニールとし，タミー伸縮部材１２の太さは１５０デニール〜７００デニールとすればよい。
【００４３】
また，図２に示されるように，外装体１０は，前身頃１側及び後身頃２側に，脚周り開口部に沿って配置されるレッグ伸縮部材１３を有していてもよい。レッグ伸縮部材１３は，外装体１０の幅方向全体にわたって，脚周り開口部を形成する縁に沿って湾曲し，伸長状態で固定されている。レッグ伸縮部材１３は，収縮することにより，外装体１０にレッグギャザーを形成する。
【００４４】
上記した各種の弾性伸縮部材１１，１２，１３には，公知の弾性伸縮部材を用いることができる。例えば，弾性伸縮部材１１，１２，１３には，糸状弾性ゴム又は平状弾性ゴムを適用することができる。このようなゴム部材としては，スチレン系ゴム，オレフィン系ゴム，ウレタン系ゴム，エステル系ゴム，ポリウレタン，ポリエチレン，ポリスチレン，スチレンブタジエン，シリコーン，又はポリエステル等の素材を用いることができる。また，各伸縮部材には，例えば熱可塑性エラストマー，プラスチックシート，又はゴムシート等の伸縮性を有する公知の部材を用いることもできる。また，弾性伸縮部材１１，１２，１３を，外装体１０に固定する際の伸長率は，例えば１２０％〜４００％，１８０％〜３５０％，又は２４０％〜２９０％とすればよい。平状弾性ゴムとしては，その幅が，例えば０．５〜５．０ｍｍ，又は０．８〜３．０ｍｍのものを用いることが好ましい。また，平状弾性ゴムとして，その厚さが，例えば０．１〜１．０ｍｍ，又は０．２〜０．５ｍｍのものを用いることが好ましい。
【００４５】
（１−２．吸収性本体）
吸収性本体２０は，パンツ型に形成された外装体１０の内側に配置して使用され，おむつの着用時において，着用者の股下に位置し，着用者が排泄した尿などの液体を吸収保持するための部材である。本実施形態において，吸収性本体２０は，長手方向に延びる略矩形状に形成されている。
【００４６】
図３は，吸収性本体２０を，図２に示されたＹ−Ｙ線において長手方向に沿って切断した状態を示す断面図である。
図３に示されるように，吸収性本体２０は，基本的に，液体を吸収し保持する吸収体２１と，吸収体２１を表面側から被覆する液透過性のトップシート２２と，吸収体２１を裏面側から被覆する液不透過性のバックシート２３を含む。吸収体２１は，外装体１０の股下部３を含む位置に配置され，長手方向に延びる部材である。トップシート２２は，尿などの液体を透過して吸収体２１に浸透させる。バックシート２３は，吸収体２１に保持された液体が漏出しないように裏面側から被覆する。
【００４７】
また，図２及び図３に示されるように，吸収性本体２０は，外装体１０の前身頃１側において吸収体２１よりも長手方向外方に延在する前側端部３０と，外装体１０の後身頃２側において吸収体２１よりも長手方向外方に延在する後側端部４０を有している。本実施形態において，前側端部３０と後側端部４０は，吸収体２１を被覆するトップシート２２とバックシート２３を長手方向外方に延伸させることにより形成されている。
【００４８】
また，図２では，外装体１０の中心位置と，吸収性本体２０に含まれる吸収体２１の中心位置が，直線Ｌ１上に揃うように配置されている。そして，図２に示されるように，外装体１０と吸収体２１の中心位置を揃えた状態において，吸収性本体２０の前側端部３０は，外装体１０の前身頃１の端縁１ａから延出する前側延出領域３２と，外装体１０の前身頃１の端縁１ａから延出しない前側調節代領域３３に区分される。すなわち，前側端部３０は，外装体１０の前身頃１の端縁１ａに沿って図の左右方向に延びる直線Ｌ２を境界線として，直線Ｌ２よりも長手方向外方の領域を前側延出領域３２とし，直線Ｌ２よりも吸収体２１寄りの領域を前側調節代領域３３としている。
他方，第１の実施形態において，吸収性本体２０の後側端部４０は，外装体１０の後身頃２の端縁２ａから延出する領域を有してはいない。すなわち，吸収性本体２０の後側端部４０は，外装体１０の後身頃２の端縁２ａに沿って図の左右方向に延びる直線Ｌ３よりも長手方向外方に延出する領域を有さない。
【００４９】
また，図３に示されるように，吸収性本体２０の前側端部３０と後側端部４０の裏面側には，それぞれ前側止着部３１と後側止着部４１が設けられている。第１の実施形態において，前側止着部３１は，前側端部３０の前側延出領域３２に設けられている。特に，前側止着部３１と後側止着部４１は，吸収性本体２０の前端部分と後端部分に設けられていることが好ましい。前側止着部３１と後側止着部４１は，外装体１０に対し，着脱自在に止め着けられるものであってもよいし，剥離不能に止め着けられるものであってもよい。ただし，おむつの装着時において，着用者が吸収性本体２０の配置位置を繰り返し調節できるように，前側止着部３１は着脱自在に外装体１０に止め着けられるものであることが好ましい。この場合，後側止着部４１も着脱自在に外装体１０に止め着けられる構成とすることにより，吸収性本体２０自体を外装体１０から取り外すことができるようになるため好ましい。前側止着部３１と後側止着部４１は，例えば，粘着剤や粘着テープにより形成されるものであってもよいし，外装体１０を形成する不織布等のシート部材に機械的に結合される面状ファスナーであってもよい。面状ファスナーは，表面に多数の突起（鉤状やきのこ状等）が形成されたフック材で形成され，フック材を不織布の構成繊維に係合させることができる。
【００５０】
続いて，吸収性本体２０の各要素の好ましい寸法について説明する。ただし，以下に説明する寸法はあくまでも一例であり，本発明の使い捨ておむつはこれに限定されない。
まず，吸収性本体２０に含まれる吸収体２１は，尿などの液体を十分に吸収できるものであることが必要なため，吸収体２１の長手方向の長さは，外装体１０の長手方向の長さを１００％とした場合に，５０％〜９０％，又は６０％〜８０％程度とすることが好ましい。また，吸収性本体２０の短手方向の長さ（横幅）は，外装体１０の短手方向の最小の長さ（横幅）に対し，７０％〜９５％，又は８０％〜９０％程度とすることが好ましい。
【００５１】
また，吸収性本体２０の前側端部３０は，外装体１０の前身頃１の端縁１ａから延出する前側延出領域３２を含む。前側延出領域３２は，吸収性本体２０を外装体１０に配置した際に，前側延出領域３２の先端部分に設けられた前側止着部３１が，外装体１０の胴周りの端部１ａ近傍に配置された複数本のウエスト伸縮部材１１を跨いで超えることができる程度の延出長さを有することが好ましい。すなわち，図２において，符号Ｅは，吸収性本体２０における前側延出領域３２の長手方向の長さを示している。また，符号Ｗは，外装体１０の前身頃１側の端縁１ａから，複数本のウエスト部材１１のうち最も股下部３寄りの位置に配置されたウエスト伸縮部材１１までの距離を示している。そして，前側延出領域３２の延出長さＥは，端縁１ａから最も股下部３寄りのウエスト伸縮部材１１までの距離Ｗよりも，長いものであることが好ましい（Ｅ＞Ｗ）。例えば，延出長さＥは，距離Ｗに対し，１１０％〜７００％，２００〜６００％，又は３００％〜５００％とすればよい。このように，前側延出領域３２が，複数本のウエスト伸縮部材１１を跨いで超えることができる程度の長さを有することで，前側延出領域３２の先端部分に設けられた前側止着部３１が，ウエスト伸縮部材１１の収縮により生じた襞の影響を受けずに，外装体１０のアウターシート１５にしっかりと止め着けられるようになる。
【００５２】
また，第１の実施形態において，吸収性本体２０の前側延出領域３２は，吸収性本体２０を外装体１０に配置した際に，前側延出領域３２の先端部分に設けられた前側止着部３１を，外装体１０の腹周りに配置された複数のタミー伸縮部材１２の不連続領域１２ａに止着できる延出長さとなっている。すなわち，図２において，符号Ｔは，外装体１０の前身頃１側の端縁１ａから，複数本のタミー伸縮部材１２のうち最も股下部３寄りの位置に配置されたタミー伸縮部材１２までの距離を示している。そして，前側延出領域３２の延出長さＥは，端縁１ａから最も股下部３寄りのタミー伸縮部材１２までの距離Ｔよりも，短いものであることが好ましい（Ｅ＜Ｔ）。例えば，延出長さＥは，距離Ｔに対し，５０％〜９０％，又は７０％〜８０％とすればよい。すなわち，本実施形態において，延出長さＥは，上記した距離Ｗよりも長く，距離Ｔよりも短くなっている（Ｗ＜Ｅ＜Ｔ）。このような条件を満たすように，前側延出領域３２の延出長さＥを設定することにより，図１に示されるように，前側延出領域３２に設けられた前側止着部３１を，外装体１０に設けられたタミー伸縮部材１２の不連続領域１２ａに止め着けることが可能になる。このように，タミー伸縮部材１２の不連続領域１２ａに前側止着部３１を止め着けることができるようにすることで，前側延出領域３２の延出長さを過不足のない適度な長さにすることができるとともに，タミー伸縮部材１２の収縮により生じた襞の影響を受けずに，前側止着部３１を外装体１０にしっかりと止め着けることが可能になる。
【００５３】
また，吸収性本体２０の前側止着部３１を，複数のタミー伸縮部材１２の不連続領域１２ａにしっかりと止め付けるためには，おむつの短手方向における前側止着部３１の長さと，不連続領域１２ａの長さの関係も重要となる。ここで，図２において，符号Ｂは，おむつの短手方向における前側止着部３１の長さを示し，符号Ｄは不連続領域１２ａの長さを示している。そして，図２に示されるように，前側止着部３１の長さＢは，不連続領域１２ａの長さＤよりも，短いものであることが好ましい（Ｂ＜Ｄ）。例えば，長さＢは，長さＤに対して，２０％〜９０％，５０％〜８０％とすればよい。このような条件を満たすように，前側止着部３１の長さＢと，不連続領域１２ａの長さＤを調節することで，図１に示されるように，前側止着部３１の全体を，外装体１０の腹周りに配置された複数のタミー伸縮部材１２の不連続領域１２ａに止め着けることができるため，前側止着部３１による止着強度が向上する。
【００５４】
なお，吸収性本体２０の後側止着部４１についても同様に，おむつの短手方向における後側止着部４１の長さは，不連続領域１２ａの長さよりも，短いものであることが好ましい。これにより，後側止着部４１の全体を，複数のタミー伸縮部材１２の不連続領域１２ａに止め着けることができるようになる。
【００５５】
図４は，図２に示されたＸ−Ｘ線において吸収性本体２０を短手方向に切断した状態を示す断面図である。図４に示されるように，吸収性本体２０は，基本的に，吸収体２１，トップシート２２，及びバックシート２３を含む。また，吸収性本体２０は，左右一対のサイドシート２４をさらに含んで構成されている。
【００５６】
吸収体２１は，尿などの液体を吸収し，吸収した液体を保持するための部材である。吸収体２１は，液透過性のトップシート２２と，液不透過性のバックシート２３の間に配置される。吸収体２１は，トップシート２２を透過した液体を吸収する機能を有する吸収性材料により構成される。吸収体２１を構成する吸収性材料には，公知の材料を採用できる。吸収性材料としては，例えば，フラッフパルプ，高吸収性ポリマー，又は親水性シートのうち１種類を単独で用いてもよいし，２種類以上を併用することとしてもよい。吸収性材料は，通常，単層又は複数層のマット状に形成されて用いられる。また，吸収体２１は，トップシート２２とバックシート２３の間の領域に封入されることが好ましい。すなわち，トップシート２２とバックシート２３は，吸収体２１の周囲を囲うようして，互いに接合されることが好ましい。吸収体２１の形状は，適宜，使い捨ておむつの形状や，大きさ，用途に合せて設計することができる。例えば，吸収体２１の形状は，図２に示されるように，砂時計型であることが好ましい。また，吸収体２１は，一般的な使い捨ておむつに使用されている，矩形型，楕円形型，又はひょうたん型とすることとしてもよい。
【００５７】
トップシート２２は，着用者の股下部の肌に直接接し，尿などの液体を吸収体２１に透過させるための部材である。このため，トップシート２２は，柔軟性が高い液透過性材料で構成される。また，トップシート２２は，吸収体２１の表面を被覆するように配置される。トップシート２２を構成する不透過性材料の例は，織布，不織布，又は多孔性フィルムである。また，例えばポリプロピレンやポリエチレン，ポリエステル，ナイロンのような熱可塑性樹脂の繊維を親水化処理してさらに不織布にしたものを用いることとしてもよい。
【００５８】
バックシート２３は，トップシート２２を透過し吸収体２１に吸収された液体が，漏出することを防止するための部材である。このため，バックシート２３は，液不透過性材料によって構成される。そして，バックシート２３は，吸収体２１の底面からの液漏れを防止するため，吸収体２１の底面を被覆するように配置される。バックシート２３を構成する液不透過材料の例は，ポリエチレン樹脂からなる液不透過性のフィルムである。特に，０．１〜４μｍの微細な孔が複数形成された微多孔性ポリエチレンフィルムを用いることが好ましい。また，図４に示されるように，バックシート２３には吸収体２１が載置され，載置された吸収体２１の上面がトップシート２２によって被覆され，吸収体２１を被覆したトップシート２２が，吸収体２１の両側縁に沿って，バックシート２３に接着されている。トップシート２２とバックシート２３は，例えば，ホットメルト接着剤やその他流動性のある接着剤を用いた接着方法により接着されてもよいし，ヒートシールのような熱溶着や超音波溶着により接着されていてもよい。
【００５９】
一対のサイドシート２４は，吸収体２１の両側部に設けられ，一対の立体ギャザーを形成するための部材である。一対の立体ギャザーは，吸収性本体２０の両側縁部に沿って起立し，着用者が排泄した尿の横漏れを防止するため防漏壁として機能する。吸収体２１の両側縁に沿っては配置された一対のサイドシート２４は，おむつの長手方向に沿って，トップシート２２上に固定される。また，一対のサイドシート２４は，トップシート２２及びバックシート２３の両側縁を挟みこむようにして，トップシート２２の上面及びバックシート２３の底面に固定されている。サイドシート２４は，複数の弾性伸縮部材２５，２６が，使い捨ておむつの長さ方向に沿って配設されており，複数の弾性伸縮部材２５，２６の収縮力を利用して立体ギャザーを形成する。つまり，複数の弾性伸縮部材２５，２６が収縮すると，一対のサイドシート２４も収縮し，立体ギャザーが立ち上がる。
【００６０】
図４に示されるように，複数の弾性伸縮部材は，一対のサイドシート２４の短手方向外側に配置される外側ギャザー伸縮部材２５と，一対のサイドシート２４の短手方向内側に配置される内側ギャザー伸縮部材２６に分類される。すなわち，図４に示されるように，吸収体２１の長さ方向に沿って，バックシート２３の裏面（肌非当接面）に一部固定されたサイドシート２４を，トップシート２２とバックシート２３の接合位置よりも幅方向外側において，吸収性本体２０の内方に向かって折り返して，外側折返部２４ａを形成する。そして，サイドシート２４の外側折返部２４ａには，使い捨ておむつの長さ方向に沿って，複数の外側ギャザー伸縮部材２５が配置される。これにより，サイドシート２４は，外側折返部２４ａにおいて，外側ギャザー伸縮部材２５の収縮力を利用して起立し，外側ギャザー部を形成する。また，外側折返部２４ａにおいて折り返されたサイドシート２４の一部は，トップシート２２とバックシート２３を挟み込むように，トップシート２２の表面（肌当接面）上に固定される。さらに，サイドシート２４は，トップシート２２との固定線より幅方向内側にも延在しており，この延在している部分が，吸収体２１の幅方向内方又は幅方向外方に向かって折り返され，内側折返部２４ｂを形成する。そして，サイドシート２４の内側折返部２４ｂには，使い捨ておむつの長さ方向に沿って，複数の内側ギャザー伸縮部材２６が配置される。これにより，サイドシート２４は，内側折返部２４ｂにおいて，内側ギャザー伸縮部材２６の収縮力を利用して起立し，内側ギャザー部を形成する。
【００６１】
続いて，図５を参照して，本発明の第１の実施形態に係るパンツ型使い捨ておむつの使用方法を説明する。図５（ａ）〜（ｃ）は，パンツ型の使い捨ておむつ１００を側方の断面を示した模式図である。
【００６２】
図５（ａ）に示されるように，使い捨ておむつ１００を装着する前に，パンツ型に形成された外装体１０の内側に，吸収性本体２０を配置する。このとき，吸収性本体２０の後側端部４０の裏面側に設けられた後側止着部４１を，外装体１０の肌当接面側に止め着ける。これにより，吸収性本体２０を外装体１０に対して部分的に固定する。また，図５（ａ）に示されるように，外装体１０の内側に吸収性本体２０を配置した状態において，吸収性本体２０は，前側端部３０の一部が，外装体１０の胴周り開口部から延出し，前側延出領域３２が形成されている。前側延出領域３２の裏面側には，前側止着部３１が設けられている。図５（ａ）に示されるような初期状態においては，前側延出領域３２を，前側調節代領域３３との境界線に沿って外側に向かって折り曲げることで，前側止着部３１を外装体１０の肌非当接面側に止め着けることができる。そして，着用者は，図５（ａ）に示された状態で，使い捨ておむつ１００を股下に装着することが可能である。
【００６３】
次に，使い捨ておむつ１００の装着後，吸収性本体２０を身体（特に排尿口）に密着させるために，着用者等は，吸収性本体２０の前側端部３０を把持して，上方に向かって引き上げる。これにより，図５（ｂ）に示されるように，吸収性本体２０のみが上方に持ち上がる。このようにして，吸収性本体２０の上下位置を調節して，着用者個々人の身体に合わせて，排尿口に密着させることができる。
【００６４】
吸収性本体２０の上下位置を調節し終えたら，図５（ｃ）に示されるように，吸収性本体２０の前側端部３０を，前側調節代領域３３において外方へ折り返す。吸収性本体２０の前側端部３０を折り返した後，前側延出領域３２の前端部分の裏面に設けられている前側止着部３１を，外装体１０の肌非当接面側に止め着ける。これにより，吸収性本体２０の長手方向両端が外装体１０に止め着けられ，吸収性本体２０が外装体１０に固定される。
【００６５】
また，着用者が運動することにより，吸収性本体２０の位置にズレが生じた場合であっても，上記した図５（ａ）〜（ｃ）に示された手順を行うことで，吸収性本体２０の上下位置を繰り返し調節することができる。本発明のパンツ型使い捨ておむつ１００は，吸収性本体２０の上下位置を調節するに際して，外装体１０や吸収性本体２０を膝下まで降ろしたりする必要はなく，着用者は使い捨ておむつ１００を装着したまま，吸収性本体２０の上下位置を調節することが可能である。
【００６６】
（２．第２の実施形態）
図６は，本発明の第２の実施形態に係るパンツ型使い捨ておむつ２００を示している。図６は，第２実施形態に係る使い捨ておむつ２００を展開し，外装体１０と吸収性本体２０を並置した状態を示している。ここでは，第２実施形態に係るパンツ型使い捨ておむつ２００について，上説した第１実施の形態と異なる点を中心に説明を行う。なお，図６において，第１実施形態と同一の要素には同一符号を付し，その説明を割愛する。
【００６７】
図６に示されるように，第２の実施形態では，吸収性本体２０の前側端部３０のうち，前側延出領域３２が，前側調節代領域３３よりも短手方向に広がって形成されている。すなわち，図６に示されるように，吸収性本体２０の前側端部３０は，前側延出領域３２に，左右両側方に突出した突出部３２ａを有している。例えば，前側延出領域３２の突出部３２ａを含む横幅は，前側調節代領域３３の横幅に対して，１０５％〜１５０％，又は１１０％〜１３０％程度に広がっていることが好ましい。
【００６８】
上記のように，前側延出領域３２に突出部３２ａを形成することで，着用者等は，前側延出領域３２を把持して，外装体１０の内側に配置された吸収性本体２０の位置を調節し易くなる。さらに，突出部３２ａを形成することで，前側延出領域３２を，前側調節代領域３３との境界線に沿って裏面側に向かって折り返し易くなる。従って，第２の実施形態は，吸収性本体２０の操作性に優れたものとなっている。
【００６９】
（３．第３の実施形態）
図７は，本発明の第３の実施形態に係るパンツ型使い捨ておむつ３００を示している。図７は，第３の実施形態に係るパンツ型使い捨ておむつ３００を前身頃１側から見た状態を示す斜視図である。ここでは，第３実施形態に係るパンツ型使い捨ておむつ３００について，上説した第１実施の形態と異なる点を中心に説明を行う。
【００７０】
図７に示されるように，第３の実施形態では，外装体１０の前身頃１の肌非当接面側に，ターゲット部材７が取り付けられている。ターゲット部材７は，吸収性本体２０の前側延出領域３２の裏面側に設けられた前側止着部３１を止め着けて保持するための部材である。
ターゲット部材７は，外装体１０の前身頃２の外表面に設けられ，前側止着部３１とともに，ファスニング機構を構成する。例えば，前側止着部３１として粘着テープが採用された場合には，ターゲット部材７は，表面が平滑なプラスチックフィルム等で形成すればよい。一方，前側止着部３１として，面状ファスナーのフック材が採用された場合には，ターゲット部材７としてはループ材を採用すればよい。このように，ファスニング機構としては，フック材（雄部材）とループ材（雌部材）の機械的結合により固定を行う面状ファスナー用いることが特に好ましい。面状ファスナーは，例えば，表面に多数の突起（鉤状，きのこ状等）が形成されたフック材と，表面にループ状の繊維が配置されたループ材との組み合わせにより構成される。例えば，前側止着部３１としてフック材を採用し，ターゲット部材７にはループ材を形成すればよい。面状ファスナーは，ループ材の表面にフック材を貼り合わせた際，フック材の多数の突起をループ材の表面に係合させる。このため，面状ファスナーは，フック材とループ材を剥離可能な状態で，かつ強固に固着させることができるものであり，繰り返しの使用が可能である点，及び固着強度が高いという点において好ましい。
【００７１】
吸収性本体２０に設けられた前側止着部３１は，上下方向の位置を調節しながら，ターゲット部材７に止め着けられる。このため，ターゲット部材７は，図７に示されるように，おむつの上下方向に長い縦長形状であることが好ましい。換言すると，ターゲット部材７は，おむつの長手方向に長い矩形状に形成されることが好ましい。また，ターゲット部材７の横幅は，少なくとも吸収性本体２０に設けられた前側止着部３１の横幅よりも広く形成されている。ターゲット部材７をこのような形状とすることで，吸収性本体２０に設けられた前側止着部３１の上下方向の位置を調節しながら，ターゲット部材７に止め着け易くなる。
【００７２】
（４．第４の実施形態）
図８及び図９は，本発明の第４の実施形態に係るパンツ型使い捨ておむつ４００を示している。図８は，第４の実施形態に係るパンツ型使い捨ておむつ４００を前身頃１側から見た状態を示す斜視図である。また，図９は，第４実施形態に係る使い捨ておむつ４００を展開し，外装体１０と吸収性本体２０を並置した状態を示している。ここでは，第４実施形態に係るパンツ型使い捨ておむつ４００について，上説した第１実施の形態と異なる点を中心に説明を行う。
【００７３】
図８及び図９に示されるように，第４の実施形態では，吸収性本体２０の前側端部３０における前側延出領域３２が，第１の実施形態と比較して長く延出している。具体的に説明すると，第４の実施形態において，前側延出領域３２は，吸収性本体２０を外装体１０に配置した際に，前側延出領域３２の先端部分に設けられた前側止着部３１が，外装体１０の腹周りに配置された複数本のタミー伸縮部材１２を跨いで超えることができる程度の延出長さを有する。すなわち，図９に示されるように，前側延出領域３２の延出長さＥは，外装体１０の前身頃１側の端縁１ａから最も股下部３寄りの位置に配置されたタミー伸縮部材１２までの距離Ｔよりも，長くなっている（Ｅ＞Ｔ）。例えば，延出長さＥは，距離Ｔに対し，１０５％〜１５０％，１１０％〜１４０％，又は１２０％〜１３０％とすればよい。このように，前側延出領域３２が，複数本のタミー伸縮部材１２を跨いで超えることができる程度の長さを有することで，前側延出領域３２の先端部分に設けられた前側止着部３１が，ウエスト伸縮部材１１及びタミー伸縮部材１２の収縮により生じた襞の影響を受けずに，外装体１０のアウターシート１５にしっかりと止め着けられるようになる。
【００７４】
また，吸収性本体２０の前側延出領域３２が上記した程度の十分な延出長さを有することにより，第１の実施形態のように複数本のタミー伸縮部材１２に不連続領域１２ａを形成する必要がなくなる。このため，図８及び図９に示されるように，第４の実施形態では，複数本のタミー伸縮部材１２が，外装体１０の前身頃１及び後身頃２において，幅方向全体にわたって連続的に配置されている。このように，複数本のタミー伸縮部材１２を外装体１０の幅方向全体に配置することで，外装体１０と着用者の身体（特に腹部周り）の密着性が向上する。さらには，外装体１０と着用者の身体の間に介在する吸収性本体２０がしっかりと固定されるため，吸収性本体２０の位置ズレが発生しにくくなる。
【００７５】
（５．第５の実施形態）
図１０は，本発明の第５の実施形態に係るパンツ型使い捨ておむつ５００を示している。図１０は，第５実施形態に係る使い捨ておむつ５００を展開し，外装体１０と吸収性本体２０を並置した状態を示している。ここでは，第５実施形態に係るパンツ型使い捨ておむつ５００について，上説した第１実施の形態と異なる点を中心に説明を行う。
【００７６】
図１０に示されるように，第５の実施形態では，吸収性本体２０の前側端部３０が，外装体１０の前身頃１側の端縁１ａから延出する前側延出領域３２を有するだけでなく，吸収性本体２０の後側端部４０が，外装体１０の後身頃２側の端縁２ａから延出する後側延出領域４２を有している。すなわち，図１０に示されるように，外装体１０の中心位置と吸収性本体２０に含まれる吸収体２１の中心位置が直線Ｌ１上に揃うように配置した場合に，後側端部４０は，外装体１０の後身頃２の端縁２ａに沿って図の左右方向に延びる直線Ｌ３を境界線として，直線Ｌ３よりも長手方向外方に延出した後側延出領域４２と，直線Ｌ３よりも吸収体２１寄りに位置する後側調節代領域４３とに区分されている。
【００７７】
上記構成のように，吸収性本体２０の前側端部３０だけでなく後側端部４０にも，外装体１０の端縁２ａから延出する後側延出領域４２を形成することで，おむつを装着する際に，前身頃１側及び後身頃２側のどちらからでも，吸収性本体２０の位置を調節できるようになる。また，吸収性本体２０の前側端部３０と後側端部４０の延出領域３２，４２の両方を両手で把持することもできるようになり，吸収性本体２０の位置の調節がさらに容易になる。
【００７８】
吸収性本体２０の後側端部４０（後側延出領域４２及び後側調節代領域４３）については，上記した第１の実施形態，第２の実施形態，第３の実施形態，及び第４の実施形態の前側端部３０（前側延出領域３２及び前側調節代領域３３）の特徴をすべて採用することができる。例えば，吸収性本体２０の後側端部４０は，後側延出領域４２ば後側調節代領域４３よりも幅広となっていてもよい。また，吸収性本体２０の後身頃２の肌当接面側には，後側延出領域４２の裏面側に設けられた後側止着部４１が止め着けられるターゲット部材が設けられていてもよい。また，吸収性本体２０の後側延出領域４２の延出長さは，複数のウエスト伸縮部材１１を跨いで超えることが出来る程度の長さとしてもよいし，さらに複数のタミー伸縮部材１２を跨いで超えることが出来る程度の長さとしてもよい。
【００７９】
（６．第６の実施形態）
図１１は，本発明の第６の実施形態に係るパンツ型使い捨ておむつ６００を説明するための図である。図１１は，パンツ型の使い捨ておむつ６００の側面の断面を示した模式図である。ここでは，第６実施形態に係るパンツ型使い捨ておむつ６００について，上説した第１実施の形態と異なる点を中心に説明を行う。
【００８０】
図１１に示されるように，第６の実施形態において，使い捨ておむつ６００は，一の外装体１０に対し，複数個の吸収性本体２０を有している。具体的には，二つの吸収性本体２０が，一の外装体１０の内側に取り付けられている。外装体１０及び吸収性本体２０の構成は上記した実施形態のものを採用できる。このように，一の外装体１０に対し，複数個の吸収性本体２０が取り付けられる場合，少なくとも最上部に位置する吸収性本体２０は，着脱自在に取り付けられていることが好ましい。
【００８１】
上記構成のように，一の外装体１０に対し複数個の吸収性本体２０を重ねて配置しておくことにより，排尿後には，液体を吸収した吸収性本体２０を取り外すだけで，排尿を簡単に処理することができる。このため，尿などの液体を吸収した吸収性本体２０の交換作業が簡便なものとなる。
【００８２】
以上，本発明のパンツ型使い捨ておむつについて，好ましい形態を例に挙げて説明を行った。ただし，本発明は，上記した実施形態に限定されるものではなく，上記した実施形態に基づいて当業者が自明な範囲で適宜修正や改変を行うことができる。
例えば，上記した実施形態では，吸収性本体２０の前側端部３０と後側端部４０が，トップシート２２とバックシート２３を延伸させて形成されている例を説明したが，前側端部３０と後側端部４０は，トップシート２２やバックシート２３とは別体の不織布等のシート部材によって形成されたものであってもよい。
また，例えば，吸収性本体２０の前側端部３０と後側端部４０が形成される位置まで，左右一対のサイドシート２４を延伸させることも可能である。
【産業上の利用可能性】
【００８３】
本発明に係るパンツ型の使い捨ておむつは，乳幼児や高齢者用のおむつに適用することができる。従って，本発明は，育児及び介護に関する産業において好適に利用し得る。
【符号の説明】
【００８４】
１      前身頃
１ａ    端縁
２      後身頃
２ａ    端縁
３      股下部
４      胴周り開口部
５      脚周り開口部
６      サイドシール部
７      ターゲット部材
１０    外装体
１１    ウエスト伸縮部材
１２    タミー伸縮部材
１２ａ  不連続領域
１３    レッグ伸縮部材
１４    インナーシート
１５    アウターシート
２０    吸収性本体
２１    吸収体
２２    トップシート
２３    バックシート
２４    サイドシート
２４ａ  外側折り返し部
２４ｂ  内側折り返し部
２５    外側ギャザー伸縮部材
２６    内側ギャザー伸縮部材
３０    前側端部
３１    前側止着部
３２    前側延出領域
３３    前側調節代領域
４０    後側端部
４１    後側止着部
４２    後側延出領域
４３    後側調節代領域
１００  使い捨ておむつ（第１の実施形態）
２００  使い捨ておむつ（第２の実施形態）
３００  使い捨ておむつ（第３の実施形態）
４００  使い捨ておむつ（第４の実施形態）
５００  使い捨ておむつ（第５の実施形態）
６００  使い捨ておむつ（第６の実施形態）
【図１】
2014014412.tif 000003
【図２】
2014014412.tif 000004
【図３】
2014014412.tif 000005
【図４】
2014014412.tif 000006
【図５】
2014014412.tif 000007
【図６】
2014014412.tif 000008
【図７】
2014014412.tif 000009
【図８】
2014014412.tif 000010
【図９】
2014014412.tif 000011
【図１０】
2014014412.tif 000012
【図１１】
2014014412.tif 000013